(57)【要約】【課題】中型犬或は大型犬等の大きなペットを風呂場で洗浄する際に、ペットを安定した状態で乗せて洗浄することが出来る風呂のふたを目的とする。【解決手段】重量のある大型のペットを安定した状態で乗せることが出来る板厚を有し、かつ表面に多くの滑り止め用凹凸２が設けられ、さらに表面周辺縁に凸枠３が設けられた家庭用風呂のふた１の構造である。【選択図】　　　　図１
2004135764.tif 000002
【特許請求の範囲】
【請求項１】
家庭用風呂に使用されるふたに於て、重量物を載置し得る板材で形成されかつ表面に滑り止め用の凹凸が設けられて構成されていることを特徴としたペット洗浄風呂ふた。
【請求項２】
浴槽の内周縁に当接し得る凸状部がふたの裏面周辺部に設けられて構成されていることを特徴とした請求項１のペット洗浄風呂ふた。
【発明の詳細な説明】
【０００１】
【発明の属する技術分野】
本発明は風呂場でペットを洗浄する際に使用される風呂ふたに係り、特に中型犬或は大型犬等のペットを安定した状態で乗せて洗浄することが出来るペット洗浄風呂ふたに関するものである。
【０００２】
【従来の技術】
従来、例えば本件特許出願人が開発した特許文献１に例示するように、中型犬或は大型犬等の重量の大きいペットを風呂場で洗浄する場合には、一般的に家庭の風呂場に連れ込んで、風呂ふたの上に乗せるか或は洗い場に立たせてシャワー設備を利用して洗浄していた。
【０００３】
【特許文献１】
特開２００２−４６０６号公報
【０００４】
【発明が解決しようとする課題】
しかし、風呂場の洗い場に立たせて洗浄する場合には、ペットが大きな場所を専有するので、作業スペースが狭くなる問題があった。また、このように風呂場の洗い場を利用する場合には、腰をかがめて洗浄作業をしなければならないので、作業が困難であり、疲労度が増加する等の問題があった。
【０００５】
また、大型のペットを風呂ふたの上に乗せて洗浄する場合には、風呂場に於ける作業スペースが増えると共に、腰をかがめる必要がないので作業が容易で疲労度が軽減される等の効果を有しているが、一方で風呂ふたがゆがんだり、ペットの足が滑るので、ペットが怖がって飛び降りたり、作業者の手につかまったりして、洗浄作業が思うように出来ないという問題があった。
【０００６】
本発明に係るペット洗浄風呂ふたは、前述の多くの問題点に鑑み開発された全く新しい技術であって、特に重量物を載置することが可能な板材を用いてふたを形成すると共に、その表面に凹凸を設けてペットが乗った際にも滑らないようにした全く新規なペット洗浄風呂ふたの技術を提供するものである。
【０００７】
【課題を解決するための手段】
本発明に係るペット洗浄風呂ふたは、前述の問題点を根本的に改善した発明であって、その第１発明の要旨は、家庭用風呂に使用されるふたに於て、重量物を載置し得る板材で形成されかつ表面に滑り止め用の凹凸が設けられて構成されていることを特徴としたペット洗浄風呂ふたである。
【０００８】
前述の第１発明に於ては、風呂用のふたを重量物を載置し得る板材で形成したので、中型犬、大型犬等の重量のあるペットをたわむことなく安定した状態で乗せることが出来る。また、ふたの表面には凹凸を設けたので、ペットを乗せた際にも、洗浄時にペットの足が滑る心配がない。
【０００９】
本発明に係るペット洗浄風呂ふたの第２発明の要旨は、浴槽の内周縁に当接し得る凸状部がふたの裏面周辺部に設けられて構成されていることを特徴とした第１発明のペット洗浄風呂ふたである。
【００１０】
前述の第２発明に於ては、ふたの裏面の周辺部に浴槽の内周縁に当接し得る凸状部を設けたので、浴槽に該ふたを被蓋した際に、該凸状部が浴槽の内周縁に当接され、これによってふたにペットを乗せて洗浄する際にふたが移動して脱落する心配がない。
【００１１】
本発明に係るペット洗浄風呂ふたの他の構成は、その表面に滑り止め用凹凸を有する平面板が家庭用風呂に使用されるふたの上面に着脱自在に取付けられて構成されることが好ましい。
【００１２】
前述の構成に於ては、表面に滑り止め用凹凸を有する平板が家庭用風呂のふたの上面に着脱自在に取付けられているので、風呂をわかす際にはふたのみを単独で使用し、ペットの洗浄時には、該ふたの上面に平板を取付けて使用することが出来る。
【００１３】
本発明に係るペット洗浄風呂ふたの他の構成は、ふたの表面に勾配或は排水用溝が設けられて構成されることが好ましい。
【００１４】
前述の構成に於ては、家庭用風呂のふたの表面に勾配或は排水用溝を設けたので、該ふたの上でペットをシャンプーした際に、排水をスムーズにすることが出来、これによってふた上にシャンプー時の液が残溜することを防止出来る。
【００１５】
【発明の実施の形態】
図により本発明に係るペット洗浄風呂ふたの一実施例を図により具体的に説明すると、図１は本発明に係るペット洗浄風呂ふたの第１実施例を示す平面図及び要部の断面図、図２は第２実施例のふたの要部の断面図、図３は第３実施例の平面説明図である。
【００１６】
図４は本発明に係るペット洗浄風呂ふたの第４実施例の平面説明図、図５は図４のふたに表面に凹凸のある平板を取付けた状態の平面図及び断面図である。
【００１７】
図１（ａ）、（ｂ）に於て、本発明に係るペット洗浄風呂ふたの第１実施例を説明すると、１は本発明に係る家庭用風呂のふたであって、このふた１の表面には多数の凹凸２が配列されている。該ふた１の表面の周辺縁と、中央部とには夫々凸枠３、４が夫々突設されている。
【００１８】
前記ふた１は表面に多数の凹凸２が配列されているので、このふた１上にペット（図示せず）を乗せてシャンプーする際にも、ペットの足が滑る心配がない。前記多数の凹凸２は、種々の形状のものを所望の模様状に配列することが可能である。
【００１９】
また、ふた１は分割された２枚からなり、各々の表面の周辺縁と中央部とには、夫々凸枠３が設けられているので、この凸枠３によってふた１の強度を増大せしめると共に、ペットのシャンプー時にふた１の表面に落下する液体が四方に飛散或は流出することを防止出来る。
【００２０】
図２に於て本発明に係るペット洗浄風呂ふたの第２実施例を説明する。この第２実施例に於ては、ふた１の裏面の周辺部には凸状部５が起立突設され、この凸状部５がバスタブ６の内周縁に当接されるように構成されている。前記凸状部５は、ふた１の裏面の周辺部に枠状に設けることも或はスポット的に設けることも可能である。
【００２１】
このように、ふた１の裏面に凸状部５を設けることによって、ふた１をバスタブ６の上縁に載置した際に、凸状部５をバスタブ６の内周縁に当接して安定させることが出来る。従って、このふた１にペットを乗せて洗浄する際に、ふた１が移動してバスタブ６より脱落することを防止出来る。
【００２２】
図３に於て本発明に係るペット洗浄風呂ふたの第３実施例を説明する。この実施例に於ては、ふた１の周辺縁に設けられた凸枠３の一部に切欠部７が設けられており、この切欠部７よりふた１に溜まった洗浄液等の水を排出することが出来るように構成されている。
【００２３】
図３に於ては、切欠部７がふた１の凸枠３の左右下隅に設けられている。また、第３実施例のふた１に於ては、一点鎖線８で示すように、ふた１の表面に勾配が設けられて排水用溝になっており、ふた１の表面に落下する液体が切欠部７に向って流れるように構成されている。
【００２４】
図４及び図５に於て、本発明に係るペット洗浄風呂ふたの第４実施例を説明する。この第４実施例に於ては、上面に前述のような凹凸２がない通常のふた９と表面に凹凸２を有する２枚の平板１０とより構成されている。
【００２５】
前記平板１０の寸法は、ふた９の表面に設けられた凸枠３、４内に嵌入されるような寸法で形成されている。従って、通常風呂をわかす際には、ふた９のみが使用される。そしてペットをシャンプーする際には、特に図５に示す如く、２枚の平板１０を夫々ふた９の表面に設けられた凸枠３、４内に嵌入させた状態で使用することが出来る。
【００２６】
前述の実施例に於ては、平板１０をふた９の凸枠３、４内に嵌入して、平板１０をふた９に取付けるように構成したが、平板１０はその他の任意の手段でふた９に着脱自在に取付けることが可能である。
【００２７】
この第４実施例は、平板１０をふた９に積層するので、ふた全体の肉厚を大きくして丈夫にすることが出来る。また、ペットの洗浄時以外では、ふた９を単独で使用出来るので、軽量のまま使用することが出来る。
【００２８】
【発明の効果】
本発明に係るペット洗浄風呂ふたに於ては、風呂用のふたを重量物を載置し得る板材で形成したので、中型犬、大型犬等の重量のあるペットをたわむことなく安定した状態で乗せることが出来る効果を有している。また、ふたの表面には凹凸を設けたので、ペットを乗せた際にも、洗浄時にペットの足が滑る心配がない。
【００２９】
本発明に係るペット洗浄風呂ふたに於て、ふたの裏面の周辺部に浴槽の内周縁に当接し得る凸状部を設けた場合には、浴槽に該ふたを被蓋した際に、該凸状部が浴槽の内周縁に当接され、これによってふたにペットを乗せて洗浄する際にふたが移動して脱落する心配がない。
【００３０】
また、ペット洗浄風呂ふたに於て、表面に滑り止め用凹凸を有する平板が家庭用風呂のふたの上面に着脱自在に取付けられた場合には、風呂をわかす際にはふたのみを単独で使用し、ペットの洗浄時には、該ふたの上面に平板を取付けて使用することが出来る効果を有している。
【００３１】
さらに、ペット洗浄風呂ふたに於て、家庭用風呂のふたの表面に勾配或は排水用溝を設けた場合には、該ふたの上でペットをシャンプーした際に、排水をスムーズにすることが出来る効果があり、これによってふた上にシャンプー時の液が残溜することを防止出来る効果を有している。
【図面の簡単な説明】
【図１】本発明に係るペット洗浄風呂ふたの第１実施例を示す平面図及び要部の断面図である。
【図２】第２実施例のふたの要部の断面図である。
【図３】第３実施例の平面説明図である。
【図４】本発明に係るペット洗浄風呂ふたの第４実施例の平面説明図である。
【図５】図４のふたに表面に凹凸のある平板を取付けた状態の平面図及び断面図である。
【符号の説明】
１　　　ふた
２　　　凹凸
３　　　凸枠
５　　　凸状部
６　　　バスタブ
７　　　切欠部
８　　　一点鎖線（排水用溝）
９　　　ふた
１０　　平板
【図１】
2004135764.tif 000003
【図２】
2004135764.tif 000004
【図３】
2004135764.tif 000005
【図４】
2004135764.tif 000006
【図５】
2004135764.tif 000007